(57)【特許請求の範囲】
【請求項１】
有底筒状のハウジングと、該ハウジングの上端開口部を塞ぐ蓋体と、該蓋体裏面に密着させた状態でハウジング内上端に収容された固定板と、該固定板下方のハウジング内下方に固定板に重なり合うように収容された回転板と、該回転板をハウジング内でハウジングの軸心回りに回転自在に支持する回転軸であって、その先端を前記固定板のほぼ中央に設けられた貫通穴内に突出させた回転軸と、該回転軸を所定方向に回転させる回転手段と、前記貫通穴周囲の固定板に貫通穴と連通させてほぼ放射状に透設された複数のガイド長穴と、前記回転軸先端に取着された貫通穴内で回転軸と共に回転するガイド羽車と、前記固定板に重なり合う回転板表面部分に回転板を上下に貫いて所定ピッチで並べて設けられた複数の小孔と、前記回転手段により回転板を回転させる側に位置する固定板の複数の各ガイド長穴の一方の側縁に沿って回転板を回転させる方向とは逆方向に傾斜させて起立させて付設された固定刃であって、その刃先を回転板表面に接近させた状態とした固定刃と、該固定刃が通過する経路と重なり合う前記回転板表面部分に固定刃の配置状態に倣って回転板を回転させる方向に傾斜させてほぼ放射状に起立させて付設された複数の回転刃であって、その刃先を前記固定刃の刃先と衝突しない程度に固定板裏面に接近させた状態とした回転刃と、前記回転板表面部分に並ぶ複数の小孔を通してハウジング内の下部空間に落下した粉砕物をハウジング外部に搬出するための、ハウジングの側壁前部に設けられた搬出口と、該搬出口が設けられたハウジング側壁前部を斜め下方に向けてハウジングを前方に傾斜させて地上又は建物の床面上に支持する支持手段と、前記蓋体のほぼ中央に開口された粉砕原料の搬入口であって、粉砕原料を蓋体を通して前記固定板の貫通穴内に搬入するための搬入口とが備えられたことを特徴とする粉砕機。
【請求項２】
前記固定刃の刃先と回転板表面との間の距離を大小に調整する固定刃調整手段と、前記回転刃の刃先と固定板裏面との間の距離を大小に調整する回転刃調整手段とが備えられたことを特徴とする請求の範囲第１項記載の粉砕機。
【請求項３】
前記回転板が、その表面部分に並べて設けられた複数の小孔の径が異なる他の回転板と交換可能にハウジング内上部に収容されたことを特徴とする請求の範囲第１項記載の粉砕機。
【請求項４】
前記回転手段に、前記回転軸の回転速度を調整する回転数調整手段が備えられたことを特徴とする請求の範囲第１項記載の粉砕機。
【発明の詳細な説明】
【技術分野】
【０００１】
本発明は、蒸解処理された木片チップ、草木伐採片、雑草等を粉状又はそれに近い状態まで粉砕するための粉砕機に関する。
【背景技術】
【０００２】
街路樹等から伐採された伐採草木、ゴルフ場から刈り取られた芝草等を焼却処分した場合には、近時のダイオキシン排出規制上から、複雑で大掛かりな焼却装置を必要とし、コストが嵩む難点がある。
そのため、近時は、それらの伐採草木、芝草等を粉状又はそれに近い状態まで粉砕して、農業肥料として有効利用する方法、土の代用物として有効利用する方法等が提案されている。
木片チップ、草木伐採片、雑草等を粉状又はそれに近い状態まで粉砕するための粉砕機としては、日本国特開平０７−２２３２０８号公報記載のものなどがある。
【特許文献１】特開平０７−２２３２０８号公報
【発明の開示】
【発明が解決しようとする課題】
【０００３】
しかしながら、従来の上記粉砕機は、粉砕刃を持つ２本の粉砕ロールを噛み合わせた複雑な構造をしていて、その操作及びメンテナンスが面倒であると共に、高価であるため、一般に広く普及するまでに至っていない。【０００４】
そこで、本発明者は、草木伐採片、雑草などは、そのままの状態で、粉砕機に直接に入れて粉砕した場合には、その木片チップ、草木伐採片、雑草に多量に含まれるセルロース繊維やリグニンが邪魔をして、その木片チップ、草木伐採片、雑草を粉状又はそれに近い状態まで粉砕することが、困難であることに鑑み、従来汎用されている蒸解技術を用いて、その木片チップ、草木伐採片、雑草に多量に含まれるセルロース繊維やリグニンを柔らかくほぐした後、その蒸解処理済みの木片チップ、草木伐採片、雑草を粉砕すれば、その木片チップ、草木伐採片、雑草を粉状又はそれに近い状態まで容易かつ確実に細かく粉砕できることに想到し、そのための粉砕機を開発した。
ここで、蒸解処理とは、日本国特開２００２−１４６６９０号公報等に記載されたように、例えば、木片チップを蒸解釜内に入れて、約２０気圧の高圧、約２００℃の高温で、連続蒸煮処理することをいう。【０００５】
即ち、本発明は、主として、セルロース繊維やリグニンを多く含む蒸解処理済みの木片チップ、草木伐採片、雑草等を、粉状又はそれに近い状態まで細かく粉砕するための、粉砕機を提供することを目的としている。
【課題を解決するための手段】
【０００６】
このような目的を達成するために、本発明の粉砕機は、有底筒状のハウジングと、該ハウジングの上端開口部を塞ぐ蓋体と、該蓋体裏面に密着させた状態でハウジング内上端に収容された固定板と、該固定板下方のハウジング内上部に固定板と重なり合うように収容された回転板と、該回転板をハウジング内でハウジングの軸心回りに回転自在に支持する回転軸であって、その先端を前記固定板のほぼ中央に設けられた貫通穴内に突出させた回転軸と、該回転軸を所定方向に回転させる回転手段と、前記貫通穴周囲の固定板に貫通穴と連通させてほぼ放射状に透設された複数のガイド長穴と、前記回転軸先端に取着された貫通穴内で回転軸と共に回転するガイド羽根車と、前記固定板下方に重なり合う回転板表面部分に回転板を上下に貫いて所定ピッチで並べて設けられた複数の小孔と、前記回転手段により回転板を回転させる側に位置する固定板の複数の各ガイド長穴の一方の側縁に沿って回転板を回転させる方向とは逆方向に傾斜させて起立させて付設された固定刃であって、その刃先を回転板表面に接近させた状態とした固定刃と、該固定刃が通過する経路と重なり合う前記回転板表面部分に固定刃の配置状態に倣って回転板を回転させる方向に傾斜させてほぼ放射状に起立させて付設された複数の回転刃であって、その刃先を前記固定刃の刃先と衝突しない程度に固定板裏面に接近させた状態とした回転刃と、前記回転板表面部分に並ぶ複数の小孔を通してハウジング内の下部空間に落下した粉砕物をハウジング外部に搬出するための、ハウジングの側壁前部に設けられた搬出口と、該搬出口が設けられたハウジング側壁前部が斜め下方を向くようにハウジングを前方に傾斜させて地上又は建物の床面上に支持する支持手段と、前記蓋体のほぼ中央に開口された粉砕原料の搬入口であって、粉砕原料を蓋体を通して前記固定板の貫通穴内に搬入するための搬入口とが備えられたことを特徴としている。【０００７】
このような構成の粉砕機においては、ハウジングの上端開口部を塞ぐ蓋体のほぼ中央に開口された粉砕原料の搬入口から、蒸解処理済みの木片チップ、草木伐採片、雑草等の粉砕原料を、蓋体を通してハウジング内上端に収容された固定板のほぼ中央に設けられた貫通穴内に搬入できる。
それと共に、回転手段により回転軸を所定方向に回転させて、回転板及び回転軸先端に取着されたガイド羽根車を回転軸と共に所定方向に回転させることができる。そして、固定板のほぼ中央の貫通穴内に搬入された粉砕原料を、その貫通穴内で回転中のガイド羽根車の羽根板及びガイド羽根車からその周囲に向けて発生する空気流の風圧により、ガイド羽根車が嵌入された貫通穴に連なる貫通穴周囲の固定板にほぼ放射状に設けられた複数のガイド長穴のそれぞれに圧送できる。
次いで、その固定板の複数のガイド長穴のそれぞれに圧送された粉砕原料を、固定板下方に重なり合って所定方向に回転する回転板の、ガイド長穴内底部に覗く回転板表面部分に搭載した状態で、その回転する回転板の回転方向に移送できる。そして、その回転板の回転方向に移送中の粉砕原料を、回転板を回転させる側に位置する固定板のガイド長穴の一方の側縁に沿ってその刃先を回転板表面に接近させた状態で回転板を回転させる方向とは逆方向に傾斜させて起立させて付設された固定刃と、その刃先を固定板裏面に接近させた状態で回転板を回転させる方向に傾斜させて回転板に付設された回転板と共に回転する回転刃との間に挟み込んで、鉋の原理を応用して、その固定刃と回転刃との刃先により細かく粉砕できる。その際には、回転板表面部分に搭載されて、回転板の回転方向に移送中の粉砕原料が、粉砕されずに、回転板表面とそれに対向する固定板裏面との間の隙間に潜り込むのを、固定刃と回転刃とにより防ぐことができる。
固定刃と回転刃とにより細かく粉砕された粉砕物は、回転中のガイド羽根車からその周囲に向けて発生する空気流の風圧により、回転板に並べて設けられた複数の各小孔を通して、回転板下方のハウジング内の下部空間に強制的に落下させることができる。
ハウジング内の下部空間に落下させた粉砕物は、支持手段によりハウジングをその搬出口が設けられたハウジング側壁前部が斜め下方を向くように前方に傾斜させて地上又は建物の床面上に支持しているために、その粉砕物に加わる重力と、回転中のガイド羽根車からその周囲に向けて発生して、固定板の貫通穴及びガイド長穴、回転板の小孔を通して、ハウジング内の下部空間に流入する空気流の風圧とを利用して、ハウジングの側壁前部に開口された搬出口方向に強制的に移送できる。そして、そのハウジング内の下部空間に落下した粉砕物を、ハウジング側壁前部の搬出口から、回転中のガイド羽根車からその周囲に向けて発生してハウジング内の下部空間に流入する空気流の風圧を利用して、その空気流に乗せて、ハウジング外部に強制的に搬出できる。【０００８】
本発明の粉砕機においては、前記固定刃の刃先と回転板表面との間の距離を大小に調整する固定刃調整手段と、前記回転刃の刃先と固定板裏面との間の距離を大小に調整する回転刃調整手段とが備えられた構造とすると良い。【０００９】
そうした場合には、その固定刃の刃先と回転する回転刃の刃先との間の上下方向の距離を、その固定刃の刃先と回転する回転刃の刃先との間に挟み込んで粉砕する木片チップ等の粉砕原料の大きさに合わせたり、回転板表面に並べて設けられた小孔の径以下の、得ようとする粉砕物の大きさに合わせたりできる。そして、粉砕原料を、所望径以下の粉砕物に容易かつ的確に粉砕できる。【００１０】
本発明の粉砕機においては、前記回転板が、その表面部分に並べて設けられた複数の小孔の径が異なる他の回転板と交換可能にハウジング内上部に収容された構造とすると良い。【００１１】
そうした場合には、ハウジング内上部に収容された回転板を、粉砕原料の大きさや、その粉砕原料を粉砕して得ようとする粉砕物の大きさに合った径の小孔を表面部分に並べて持つ他の回転板に自在に交換できる。そして、その回転板の表面部分に並べて設けられた所望径の複数の小孔を通して、ハウジング内の下部空間に、得ようとする大きさ以下の粉砕物を的確に選択して落下させることができる。【００１２】
本発明の粉砕機においては、前記回転手段に、前記回転軸の回転速度を調整する回転数調整手段が備えられた構造とすると良い。【００１３】
そうした場合には、回転手段により回転させる回転板及びガイド羽根車の回転速度を、回転数調整手段を用いて、固定刃の刃先と回転する回転刃の刃先との間に挟み込んで粉砕する木片チップ等の粉砕原料の大きさや、回転板表面に並べて設けられた小孔の径の大小に合わせて、大小に調整できる。そして、その木片チップ等の粉砕原料を、所望の粒径以下に容易かつ確実に粉砕できる。それと共に、粉砕原料を粉砕する回転刃が付設された回転板等を回転させる回転手段に過度の負荷が加わるのを、防ぐことができる。
【発明の効果】
【００１４】
本発明の粉砕機は、構造が簡単で製造容易な簡便な機構を用いて、セルロース繊維やリグニンを多く含む蒸解処理済みの木片チップ、草木伐採片、雑草等を、粉状又はそれに近い状態まで容易かつ確実に細かく粉砕できる利点を有している。
【図面の簡単な説明】
【００１５】
【図１】図１は粉砕機の概略構成図である。
【図２】図２は固定板下方に回転板が重なり合った状態の平面図である。
【図３】図３は固定板の平面図である。
【図４】図４は回転板の平面図である。
【図５】図５はガイド羽根車周辺の正面図である。
【図６】図６はガイド羽根車の平面図である。
【図７】図７は粉砕機の固定刃と回転刃との取り付け構造説明図である。
【符号の説明】
【００１６】
１０  ハウジング
１２  蓋体
２０  固定板
２２  貫通穴
２４  ガイド長穴
３０  回転板
３２  小孔
４０  回転軸
５０  ガイド羽根車
６０  回転手段
６２  回転数調整手段
７０  固定刃
７２  固定刃調整手段
８０  回転刃
８２  回転刃調整手段
９０  粉砕物の搬出口
１００  支持手段
１１０  粉砕原料の搬入口
１２０  ホッパー
２００  粉砕原料
２２０  粉砕物
【発明を実施するための最良の形態】
【００１７】
図１ないし図７は本発明の粉砕機の好適な実施の形態を示している。以下に、この粉砕機を説明する。【００１８】
この粉砕機は、図１に示したように、円筒体底部が底板１１で封じられた有底筒状のハウジング１０を備えていて、そのハウジング１０の上端開口部が、蓋体１２により封じられている。
ハウジング１０内上端には、図３に示したような、ほぼ円板状をした厚手の固定板２０が、蓋体１２裏面に密着させた状態で収容されている。
固定板２０下方のハウジング１０内上部には、図４に示したような、ほぼ円板状をした回転板３０が、固定板２０に重なり合うように収容されている。
ハウジング１０内のほぼ中央には、回転軸４０が、ハウジングの底板１１を貫いて、ハウジング１０内の軸心に沿って突出している。
回転軸４０中途部周囲には、回転板３０が取着されていて、回転板３０が、回転軸４０と共に、ハウジング１０内でハウジング１０の軸心回りに回転する構造をしている。
回転軸４０先端は、図２に示したように、固定板２０のほぼ中央に設けられた貫通穴２２内に突出させている。
貫通穴２２内に突出させた回転軸４０先端には、図５と図６に示したような、複数枚の羽根板５２をほぼ放射状に突出させた構造のガイド羽根車５０が取着されていて、そのガイド羽根車５０が貫通穴２２内で回転軸４０と共に回転する構造をしている。
ハウジングの底板１１外側には、回転軸４０を所定方向に回転させる回転手段６０が備えられている。回転手段６０には、電動モータが用いられている。
貫通穴２２周囲の固定板２０には、図２と図３に示したように、複数のガイド長穴２４が、貫通穴２２と連通させてほぼ放射状に固定板２０を上下に貫いて透設されている。
固定板２０下方に重なり合う回転板３０表面部分には、図４に示したように、複数の小孔３２が、回転板３０を上下に貫いてほぼ放射帯状に所定ピッチで並べて設けられている。
回転手段６０により回転板３０を回転させる側に位置する固定板の複数の各ガイド長穴２４の一方の側縁に沿っては、図３と図７に示したように、帯板状をした固定刃７０が、回転板３０を回転させる方向（図７の矢印方向）とは逆方向に傾斜させて、起立させて付設されている。固定刃７０は、その刃先を、回転板３０表面に接近させた状態としている。
固定刃７０が通過する経路と重なり合う回転板３０表面部分には、図４と図７に示したように、固定刃７０の配置状態に倣って、帯板状をした複数の回転刃８０が、回転板３０を回転させる方向に傾斜させて、ほぼ放射状に起立させて付設されている。回転刃８０は、その刃先を、固定刃７０の刃先と衝突しない程度に固定板２０裏面に接近させた状態としている。回転刃８０は、図４に示したように、複数の小孔３２がほぼ放射帯状に並んだ箇所の間の回転板３０部分に回転板３０を上下に貫いて付設されている。
ハウジング１０の側壁前部には、回転板３０表面部分に並ぶ複数の小孔３２を通してハウジング１０内の下部空間に落下した粉砕物２２０をハウジング１０外部に搬出するための搬出口９０が設けられている。
ハウジング１０は、図１に示したように、回転手段６０と共に、支持手段１００に取着されている。そして、その支持手段１００により、ハウジング１０が、その搬出口９０が設けられたハウジング１０側壁前部が斜め下方を向くように、前方に傾斜させて地上又は建物の床面上に支持されている。支持手段１００は、水平保持機構を持つ台車と、該台車上方に起立するアーム等から構成されている。
蓋体１２のほぼ中央には、図１に示したように、粉砕原料の搬入口１１０が開口されている。そして、その搬入口１１０を通して、木片チップ等の粉砕原料２００を、蓋体１２を通して蓋体１２裏面に密着させて備えられた固定板の貫通穴２２内に搬入できる構造をしている。【００１９】
図１ないし図７に示した粉砕機は、以上のように構成されている。
この粉砕機の使用に際しては、図１に示したように、ハウジング１０の上端開口部を塞ぐ蓋体１２のほぼ中央に開口された粉砕原料の搬入口１１０から、蒸解処理済みの木片チップ、草木伐採片、雑草等の粉砕原料２００を、蓋体１２を通して、蓋体１２裏面に密着させた状態でハウジング１０内上端に収容された固定板２０のほぼ中央に設けられた貫通穴２２内に搬入する。その際には、図１に示したように、粉砕原料の搬入口１１０に、ホッパー１２０を備えて、搬入口１１０に粉砕原料を漏れ無く円滑に搬入可能とすると良い。
それと共に、回転手段６０により回転軸４０を所定方向に回転させて、回転板３０及び回転軸４０先端に取着されたガイド羽根車５０を回転軸４０と共に所定方向に回転させる。そして、固定板２０のほぼ中央の貫通穴２２内に搬入された粉砕原料２００を、その貫通穴２２内で回転中のガイド羽根車の羽根板５２及びガイド羽根車５０からその周囲に向けて発生する空気流の風圧により、ガイド羽根車５０が嵌入された貫通穴２２に連なる貫通穴周囲の固定板２０にほぼ放射状に設けられた複数のガイド長穴２４のそれぞれに圧送する。
次いで、その固定板の複数のガイド長穴２４のそれぞれに圧送された粉砕原料２００を、固定板２０下方に重なり合って所定方向に回転する回転板３０の、ガイド長穴２４内底部に覗く回転板３０表面部分に搭載した状態で、その回転する回転板３０と共に、回転板３０の回転方向に移送する。そして、図７に示したように、その回転板３０の回転方向に移送中の粉砕原料２００を、回転板３０を回転させる側に位置する固定板のガイド長穴２４の一方の側縁に沿ってその刃先を回転板３０表面に接近させた状態で回転板３０を回転させる方向とは逆方向に傾斜させて起立させて付設された固定刃７０と、その刃先を固定板２０裏面に接近させた状態で回転板３０を回転させる方向に傾斜させて回転板３０に付設された回転板３０と共に回転する回転刃８０との間に挟み込んで、鉋の原理を応用して、その固定刃７０と回転刃８０との刃先により細かく粉砕する。その際には、回転板３０表面部分に搭載されて、回転板３０の回転方向に移送中の粉砕原料２００が、細かく粉砕されずに、回転板３０表面とそれに対向する固定板２０裏面との間の隙間に潜り込むのを、固定刃７０と回転刃８０とにより防ぐ。
固定刃７０と回転刃８０とにより細かく粉砕された粉砕物２２０は、図１に示したように、回転中のガイド羽根５０からその周囲に向けて発生する空気流の風圧により、回転板３０に並べて設けられた複数の各小孔３２を通して、回転板３０下方のハウジング１０内の下部空間に強制的に落下させる。
ハウジング１０内の下部空間に落下させた粉砕物２２０は、支持手段１００によりハウジング１０をその搬出口９０が設けられたハウジング１０側壁前部が斜め下方を向くように前方に傾斜させて地上又は建物の床面上に支持しているために、その粉砕物２２０に加わる重力と、回転中のガイド羽根車５０からその周囲に向けて発生して、固定板の貫通穴２２、ガイド長穴２４及び回転板の小孔３２を通して、ハウジング１０内の下部空間に流入する空気流の風圧とを利用して、ハウジング１０の側壁前部に開口された搬出口９０方向に強制的に移送する。そして、そのハウジング１０内の下部空間に落下した粉砕物２２０を、ハウジング側壁前部の搬出口９０から、回転中のガイド羽根５０からその周囲に向けて発生して、ハウジング１０内の下部空間に流入する空気流の風圧を利用して、その空気流に乗せて、ハウジング１０外部の受け箱（図示せず）内等に強制的に搬出する。そして、その受け箱内等に回転板に設けられた小孔３２の径以下の細かく粉砕された粉砕物２２０を堆積させる。
この粉砕機の使用中には、回転するガイド羽根車５０の吸気作用を受けて、粉砕原料の搬入口１１０から空気がハウジング１０内に強制吸入されて、その空気が、固定板に設けられた貫通穴２２及びガイド長穴２４、回転板に並べて設けられた複数の小孔３２、ハウジング１０内の下部空間及びハウジング１０前部側壁の粉砕物の搬出口９０を通して、ハウジング１０外部に強制排出され続ける。そして、そのハウジング１０内の各所を強制循環し続ける空気流に乗って、ハウジング１０内で細かく粉砕された粉砕物２２０のほぼ全てが、ハウジング１０内部に残らずに、ハウジング１０外部に強制排出され続ける。そして、ハウジング１０内の各所に粉砕物２２０の一部が残って付着したり堆積したりするのが防止される。
そのために、この粉砕機においては、ハウジング１０内部を開口させて、そのハウジング１０内の各所に残って付着したり堆積したりした粉砕物２２０を、定期的に清掃する面倒なメンテナン作業を不要とすることができる。【００２０】
この粉砕機においては、図７に示したように、固定刃７０の刃先と回転板３０表面との間の距離を大小に調整する固定刃調整手段７２と、回転刃８０の刃先と固定板２０裏面との間の距離を大小に調整する回転刃調整手段８２とが備えられた構造とすると良い。
そして、固定刃７０の刃先と回転する回転刃８０の刃先との間の上下方向の距離を、その固定刃７０の刃先と回転刃８０の刃先との間に挟み込んで粉砕する木片チップ等の粉砕原料２００の大きさに合わせたり、回転板３０表面に並べて設けられた小孔３２の径以下の、得ようとする粉砕物２２０の大きさに合わせたりできるようにすると良い。そして、粉砕原料２００を、固定刃７０と回転する回転刃８０とにより、所望径以下の粉砕物２２０に容易かつ的確に粉砕できるようにすると良い。
固定刃調整手段７２と回転刃調整手段８２には、例えば、図７に示したように、ねじ止め機構を用いて、固定板２０に対しての固定刃７０の取着位置、及び回転板３０に対しての回転刃８０の取着位置をそれぞれ調整できる構造とすると良い。【００２１】
この粉砕機においては、回転板３０が、その表面部分に並べて設けられた複数の小孔３２の径が異なる他の回転板３０と交換可能にハウジング１０内上部に収容された構造とすると良い。
そして、ハウジング１０内上部に収容された回転板３０を、粉砕原料２００の大きさや、その粉砕原料２００を粉砕して得ようとする粉砕物２２０の大きさに合った例えば３〜６ｍｍの径の小孔３２を表面部分に並べて持つ他の回転板３０に自在に交換できるようにすると良い。そして、その回転板３０の表面部分に並べて設けられた所望径の複数の小孔３２を通して、ハウジング１０内の下部空間に、得ようとする大きさ以下の粉砕物２２０を的確に選択して落下させることができるようにすると良い。【００２２】
この粉砕機においては、回転手段６０に、回転軸４０の回転速度を調整する回転数調整手段６２が備えられた構造とすると良い。
そして、回転手段６０により回転させる回転板３０及びガイド羽根車５０の回転速度を、回転数調整手段６２を用いて、固定刃７０の刃先と回転する回転刃８０の刃先との間に挟み込んで粉砕する木片チップ等の粉砕原料２００の大きさや、回転板３０表面に並べて設けられた小孔３２の径の大小に合わせて、大小に調整できるようにすると良い。そして、その木片チップ等の粉砕原料２００を、所望の粒径以下に容易かつ確実に粉砕できるようにすると良い。それと共に、粉砕原料２００を粉砕する回転刃８０が付設された回転板３０等を回転させる電動モータ等の回転手段６０に過度の負荷が加わるのを、防ぐことができるようにすると良い。
回転数調整手段６２には、例えば、回転手段６０の電動モータの回転数を０〜１７３０ｒ．ｐ．ｍ．まで連続的に増減速可能なインバータ制御機構を用いると良い。
【産業上の利用可能性】
【００２３】
本発明の粉砕機は、セルロース繊維やリグニンを多く含む蒸解処理済みの木片チップ、草木伐採片、雑草等を、粉状又はそれに近い状態まで細かく粉砕するための、粉砕機に、広く利用可能である。
また、本発明の粉砕機は、蒸解処理されていない、比較的柔らかな草木伐採片、雑草等を、粉状又はそれに近い状態まで細かく粉砕するための、粉砕機にも、広く利用可能である。
【図１】
0003919126.tif 000002
【図２】
0003919126.tif 000003
【図３】
0003919126.tif 000004
【図４】
0003919126.tif 000005
【図５】
0003919126.tif 000006
【図６】
0003919126.tif 000007
【図７】
0003919126.tif 000008